(57)【要約】【課題】周波数ホッピング方式スペクトラム拡散近距離無線通信の音声通信リンクが近距離空間に複数存在する場合でも、電波干渉によるパケットエラーが発生しないようにする。【解決手段】構内交換機である主装置１に、互いに重ならない複数のAFH (Adaptive Frequency Hopping)チャネルマップを用意しておく。親機２のTEN番号（内線端末番号）に応じて異なるAFHチャネルマップを強制的に割り当てて、音声通信リンクを設定する。親機２は、対応する子機３と、周波数ホッピング方式スペクトラム拡散近距離無線通信の音声通信リンクで接続される。３つの音声通信リンクは、独立したチャネルを使用するので、相互干渉はなくなる。【選択図】図１
2006270609.tif 000002
【特許請求の範囲】
【請求項１】
構内交換機能を備えた主装置と、前記主装置に有線で接続された複数の親電話機と、前記各親電話機に対応する複数のワイヤレス子電話機とを具備し、前記各親電話機とそれに対応する各ワイヤレス子電話機との間で周波数ホッピング方式スペクトラム拡散無線通信により音声通信を行う近距離無線通信装置において、前記主装置は、互いに重ならない複数の適応型周波数ホッピングチャネルマップを保持する手段と、前記各親電話機とそれに対応する各ワイヤレス子電話機との間にそれぞれ異なる適応型周波数ホッピングチャネルマップを設定する手段とを備えたことを特徴とする近距離無線通信装置。
【請求項２】
構内交換機能を備えた主装置と、前記主装置に有線で接続された複数の親電話機と、前記各親電話機に対応する複数のワイヤレス子電話機とを具備する近距離無線通信装置を用いて、前記各親電話機とそれに対応する各ワイヤレス子電話機との間で周波数ホッピング方式スペクトラム拡散無線通信により音声通信を行う近距離無線通信方法であって、前記主装置に、互いに重ならない複数の適応型周波数ホッピングチャネルマップを保持しておき、前記各親電話機とそれに対応する各ワイヤレス子電話機との間にそれぞれ異なる適応型周波数ホッピングチャネルマップを設定することを特徴とする近距離無線通信方法。
【発明の詳細な説明】
【技術分野】
【０００１】
本発明は、近距離無線通信装置に関し、特に、周波数ホッピング方式の音声通信リンクが近距離空間に複数存在する場合でも、電波干渉を回避できる近距離無線通信装置に関する。
【背景技術】
【０００２】
Bluetoothのような周波数ホッピング方式スペクトラム拡散無線通信装置（FHSS無線通信装置）を利用して音声通信などの等時性通信を行う場合、SCO (Synchronous Connection Oriented)リンクが用いられる。SCOリンクを用いる通信方法は、電波干渉によるパケット損失に対する耐力がない。その対策のために、ESCO (Extended SCO)リンク、AFH (Adaptive Frequency Hopping)の通信規格が作成された。ESCOリンクは、高速通信に対応できるものであり、エラーがあった場合には再送と誤り訂正を行う。AFHは、全79chのうち、パケットエラーの多い周波数（チャネル）を自動的に使用しないようにする機能である。以下、周波数ホッピング方式近距離無線通信における相互干渉対策の例をいくつかあげる。
【０００３】
特許文献１に開示された「通信方法及び通信装置」は、近距離無線通信を行う場合に、消費電流の低減と確実な通信とを最適な状態で実現するものである。近距離無線通信では、音声通信に関するSCOリンクについて、３通りのパケットタイプHV1〜HV3を通信環境の状態に応じて変更設定できるが、途中で切り換えることは規定されていない。SCOリンクを初期設定条件としてHV3でリンクを開始するように設定し、こののち、パケットの破棄数ｎをカウントしてａよりも小であればそのままHV3のパケットタイプを使用し、ａ以上でｂよりも小の条件ではパケットタイプHV2を使用するように切り換え、ｂを超えたときにはHV1に切り換えるように制御する。
【０００４】
特許文献２に開示された「周波数ホッピング方式無線通信装置」は、相互干渉を抑えることができる周波数ホッピング方式無線通信装置である。使用可能な周波数帯の中で、他の装置と相互干渉する可能性のある周波数帯と予備の周波数帯とを除いた周波数帯で通信し、所定のホッピングパターンに従って使用チャネルが切り替えられる周波数ホッピング方式無線通信装置である。複数の相互干渉する可能性のある周波数帯毎に、それぞれ異なったホッピングパターンを規定した複数のホッピングパターンテーブルが設けられる。相互干渉する可能性のある周波数帯が変更されたときには、変更された周波数帯と対応するホッピングパターンテーブルが選択され、ホッピングパターンテーブルに従って使用チャネルが切り替えられる。
【０００５】
特許文献３に開示された「周波数ホッピングシーケンスを回転させる無線パーソナルエリアネットワーク」は、パーソナルエリアネットワークにおける相互干渉を防止するものである。無線パーソナルエリアネットワークにおいて、ピコネットコーディネータに関連するデバイスにより、ビーコンフレームを受信する。初期デバイスのMACにより、回転インデックスおよびホッピングインデックスを抽出する。現在のスーパーフレーム内で送受信するために、これらインデックスをPHYへ送る。初期デバイスにより次のビーコンフレームの受信に失敗した場合、前に受信した回転インデックスおよびホッピングインデックスを使って、受信に失敗したビーコンフレームに続く現在のスーパーフレームに対する現在周波数ホッピングシーケンスを決定する。
【特許文献１】特開2002-290415号公報
【特許文献２】特開2004-254204号公報
【特許文献３】特開2004-266832号公報
【発明の開示】
【発明が解決しようとする課題】
【０００６】
しかし、上記従来の通信方法では、次のような問題がある。AFHは、エラーがあると、自動的に使用しないようにする機能であるため、同時存在リンクが複数ある場合チャネル衝突が発生する。
【０００７】
本発明の目的は、上記従来の問題を解決して、周波数ホッピング方式近距離無線通信の音声通信リンクが複数存在する場合でも、チャネル衝突発生を防止することである。
【課題を解決するための手段】
【０００８】
上記の課題を解決するために、本発明では、複数の音声通信リンクを完全にチャネル分けする。すなわち、構内交換機能を備えた主装置と、主装置に有線で接続された複数の親電話機と、各親電話機に対応する複数のワイヤレス子電話機とを具備し、各親電話機とそれに対応する各ワイヤレス子電話機との間で周波数ホッピング方式により音声の無線通信を行う近距離無線通信装置の主装置に、互いに重ならない複数のAFHチャネルマップを保持する手段と、各親電話機とそれに対応する各ワイヤレス子電話機との間にそれぞれ異なるAFHチャネルマップを設定する手段とを備えた構成とした。
【発明の効果】
【０００９】
上記のように構成したことにより、複数の音声通信リンクの間でチャネル衝突が無くなるので、パケットエラーの発生が大幅に抑えられる。
【発明を実施するための最良の形態】
【００１０】
以下、本発明を実施するための最良の形態について、図１〜図４を参照しながら詳細に説明する。
【実施例】
【００１１】
本発明の実施例は、複数の親電話機と、それに対応するワイヤレス子電話機とが、周波数ホッピング方式の音声通信リンクで接続される通信装置であって、電波干渉を回避できる互いに重ならないAFHチャネルマップを、それぞれの音声通信リンクに予め強制的に割り当てておく周波数ホッピング方式近距離無線通信装置である。
【００１２】
図１は、本発明の実施例における周波数ホッピング方式スペクトラム拡散無線通信装置（FHSS無線通信装置）の概念図である。図１において、主装置１は、構内交換機能を備え、内線電話システムを統括制御する装置である。親機２は、内線電話機端末の親機である。子機３は、内線電話機端末のワイヤレス子機である。図２は、BluetoothなどのFHSS無線通信装置においてチャネルを３分割する方法を示す概念図である。図３は、FHSS無線通信装置のチャネル分割手順を示す図である。図４は、FHSS無線通信装置のチャネル分割方法の他の例を示す図である。
【００１３】
上記のように構成された本発明の実施例におけるFHSS無線通信装置の動作を説明する。最初に、図１を参照しながら、FHSS無線通信装置の機能の概略を説明する。周波数ホッピング方式近距離無線通信の音声通信リンクが近距離空間に複数存在する場合の電波干渉を回避するために、それぞれの音声通信リンクに、互いに干渉しないAFHチャネルマップを予め、強制的に割り当てておく。
【００１４】
主装置１は、公衆電話回線に接続されている構内交換機であり、内線電話システムを統括制御している。親機２は、内線電話機端末の親機である。子機３は、内線電話機端末のワイヤレス子機である。親機２（＃１）と子機３（＃１）は、Bluetoothなどの周波数ホッピング方式近距離無線通信の音声通信リンクで接続されている。親機２（＃２）と子機３（＃２）も同様である。親機２（＃３）と子機３（＃３）も同様である。主装置１に、AFHチャネルマップをセットしておく。親機のTEN番号（内線端末番号）に応じて、AFHチャネルマップを設定する。３つのリンクは、独立したチャネルを使用するので、相互干渉はなくなる。
【００１５】
図２を参照しながら、FHSS無線通信装置においてチャネルを３分割する方法を説明する。AFHチャネルマップは、79チャネルのうち、AFHで使用できなくなったチャネルを除いたチャネルを同時通話リンク数で分割することにより、求められる。親機２のTEN番号（内線端末番号）により、割り当てるチャネルを決めておき、主装置１または親機２から、AFHチャネルマップのセットコマンドをそれぞれの音声通信リンクに対して発行することにより、それぞれのリンクのチャネルを独立させる。このコマンドは、親機２内のCPUにより、周波数ホッピング方式近距離無線通信チップに対して実行される。
【００１６】
図３を参照しながら、FHSS無線通信装置のチャネル分割手順を説明する。親機２のTEN番号（内線端末番号）を調べる。TEN番号が１であれば、チャネルマップ１を選択する。TEN番号が２であれば、チャネルマップ２を選択する。TEN番号が３であれば、チャネルマップ３を選択する。主装置１または親機２から、AFHチャネルマップのセットコマンドを、それぞれの音声通信リンクに対して発行する。
【００１７】
図４を参照しながら、FHSS無線通信装置のチャネル分割方法の他の例を説明する。同時存在リンクが多数のときは、全てのリンクを独立したチャネルに分割することができないので、図４に示すような運用の仕方をする。図４（ａ）は、リンク数が６の場合の例である。２つのリンクに同じチャネルを割り当てる。リンク１，２，３は、互いに近接した第１のグループであり、リンク４，５，６は、互いに近接した第２のグループである。図４（ｂ）は、リンク数が５の場合の例である。リンク１，２，３は、互いに近接した第１のグループであり、リンク４，５は、互いに近接した第２のグループである。図４（ｃ）は、リンク数が７の場合の例である。リンク１，２，３は、互いに近接した第１のグループであり、リンク４，５，６，７は、互いに近接した第２のグループである。
【００１８】
図１に示す３つの音声通信リンクが同時に使用される確率が小さい場合は、同時に使用される場合にのみ、チャネルを分割するようにしてもよい。例えば、最初に使用される音声通信リンクには、すべての79チャネルを割り当てる。２番目の音声通信リンクが使用されるときには、最初のリンクのAFHチャネルマップを、半分のチャネル数を使用するマップに切り替える。２番目の音声通信リンクには、それと重ならない他の半分のチャネル数を使用するマップを割り当てる。リンク数が減少する場合は、この逆の操作を行う。
【００１９】
このようにすることにより、使用リンク数が少ないときは、広い帯域を使ってクリアな音質で通話ができる。また、同時使用リンク数が多くても、狭い帯域で通話できるので、相互干渉によるノイズで通話が不可能になることを避けることができる。
【００２０】
上記のように、本発明の実施例では、複数の親電話機と、それに対応するワイヤレス子電話機とが、周波数ホッピング方式の音声通信リンクで接続される周波数ホッピング方式近距離無線通信装置を、電波干渉を回避できる互いに重ならないAFHチャネルマップを、それぞれの音声通信リンクに予め強制的に割り当てておく構成としたので、パケットエラーの発生が大幅に抑えられる。
【産業上の利用可能性】
【００２１】
本発明の近距離無線通信装置は、周波数ホッピング方式近距離無線通信の音声通信リンクが近距離空間に複数存在する場合の電波干渉を回避する通信装置として最適である。
【図面の簡単な説明】
【００２２】
【図１】本発明の実施例における周波数ホッピング方式近距離無線通信装置の概念図である。
【図２】本発明の実施例における周波数ホッピング方式近距離無線通信装置のチャネル分割方法を示す図である。
【図３】本発明の実施例における周波数ホッピング方式近距離無線通信装置のチャネル分割手順を示す図である。
【図４】本発明の実施例における周波数ホッピング方式近距離無線通信装置のチャネル分割方法の他の例を示す図である。
【符号の説明】
【００２３】
１・・・主装置、２・・・親機、３・・・子機。
【図１】
2006270609.tif 000003
【図２】
2006270609.tif 000004
【図３】
2006270609.tif 000005
【図４】
2006270609.tif 000006